(57)【要約】【課題】成形品がアンダーカット部を有する場合であっても、成形品の多数個取りが可能であり、成形品に見合った大きさで簡易な構造の射出成形金型、および該金型を用いて製造された樹脂成形品、並びに該金型を用いた樹脂成形品の製造方法を提供する。【解決手段】射出成形金型１は、固定型と可動型３とスライドコア４とを有し、中空部を有する樹脂成形品を多数個取りするための金型であって、固定型と可動型３とのパーティングラインが１ヶ所であり、該射出成形金型における成形キャビティが、可動型の可動方向に直列にスライドコア４により分けられて複数形成され、成形品の中空部を形成するコアピン５を有し、それぞれの成形キャビティに樹脂を充填するためのサブマリンゲート６が該コアピン５に形成されている。【選択図】図２
2012210810.tif 000002
【特許請求の範囲】
【請求項１】
可動型と固定型とスライドコアとを有し、中空部を有する樹脂成形品を多数個取りするための射出成形金型であって、
前記固定型と前記可動型とのパーティングラインが１ヶ所であり、該射出成形金型における成形キャビティが、前記可動型の可動方向に直列に前記スライドコアにより分けられて複数形成され、
前記成形品の中空部を形成するコアピンを有し、それぞれの前記成形キャビティに樹脂を充填するためのサブマリンゲートが該コアピンに形成されていることを特徴とする射出成形金型。
【請求項２】
前記スライドコアの可動方向内側に設けられた、前記コアピンと接触する凸部によって、前記成形キャビティが前記可動型の可動方向に直列に分けられて複数形成されていることを特徴とする請求項１記載の射出成形金型。
【請求項３】
前記スライドコアが、前記固定型と前記可動型とのパーティングラインをキャビティ正面から見たとき、前記成形キャビティを中心にして放射状に可動することを特徴とする請求項１または請求項２記載の射出成形金型。
【請求項４】
前記スライドコアが、１セットであることを特徴とする請求項１、請求項２または請求項３記載の射出成形金型。
【請求項５】
前記スライドコアの可動方向内側に、凸部および／または凹部が設けられていることを特徴とする請求項１ないし請求項４のいずれか１項記載の射出成形金型。
【請求項６】
請求項１ないし請求項５のいずれか１項記載の射出成形金型を用いて製造されることを特徴とする中空部を有する樹脂成形品。
【請求項７】
前記成形品の表面に、穴、窪み、または突起があることを特徴とする請求項６記載の樹脂成形品。
【請求項８】
請求項１ないし請求項５のいずれか１項記載の射出成形金型を用いて中空部を有する樹脂成形品を複数個同時に製造する製造方法であって、
前記固定型と前記可動型とを衝合した状態で前記スライドコアにより分けられた複数の前記成形キャビティに前記サブマリンゲートを介して樹脂を射出充填する工程と、
該樹脂が固化後、前記可動型を開き、かつ、前記スライドコアを可動させて、前記コアピン部分が中空部である前記成形キャビティの形状の複数の樹脂成形品を取り出す工程とを備えてなることを特徴とする樹脂成形品の製造方法。
【請求項９】
前記取り出す工程は、１つの樹脂成形品の端面を突き出しピンにより突き出すことで、複数の樹脂成形品のすべてを取り出す工程であることを特徴とする請求項８記載の樹脂成形品の製造方法。
【請求項１０】
前記取り出し後の樹脂成形品について、後加工しないことを特徴とする請求項８または請求項９記載の樹脂成形品の製造方法。
【発明の詳細な説明】
【技術分野】
【０００１】
本発明は、多数個取りできる合成樹脂製品の射出成形金型、樹脂成形品、および樹脂成形品の製造方法に関する。
【背景技術】
【０００２】
合成樹脂からなる製品を製造する手段として、射出成形による製造方法が一般的に行なわれている。射出成形は複雑な形状の製品を製造する場合にも、射出成形金型によって容易に大量生産が可能である。一般的に、射出成形金型は、固定型（固定側の金型）と、固定型に対して型締め、型開き可能な可動型（可動側の金型）と、から構成される。型締めされた固定型と可動型とによって形成された成形キャビティに溶融樹脂を射出充填して固化させることにより、成形キャビティの形状に対応する成形品を成形する。
【０００３】
射出成形金型では、一つの射出成形金型に複数の成形キャビティを設けることによって、一回の成形工程で複数の成形品を同時に製造することが可能である。そのような多数個取りの射出成形金型は、通常、固定型と可動型の合わせ面（パーティングライン（以下、ＰＬと記す））に成形キャビティが並列に並べられている。
【０００４】
また、より多くの成形品を同時に製造する射出成形金型として、可動型を複数に重ね、それぞれの可動型に成形キャビティを形成した、スタックモールド金型が知られている（特許文献１参照）。
【０００５】
また、成形品がアンダーカット部（金型を開くのみでは取り出せない形状部分）を有する場合の多数個取りの射出成形金型として、スライドコアが互いに干渉しないように、スライドコアを成形キャビティの並び方向に対して角度を付けて配置した射出成形金型が知られている（特許文献２参照）。
【０００６】
その他、芯棒状の固定金型の軸方向に直列に配設された複数の円環状の可動金型を備え、上記可動金型が、上記固定金型に対して半径方向に離接可能なように上記固定金型の外周側に配設された、複数のスライドコアとランナ用スライドコアとを備えた射出成形金型が知られている（特許文献３参照）。
【先行技術文献】
【特許文献】
【０００７】
【特許文献１】特開２００１−１２９６４０号公報
【特許文献２】特開２００２−２３４０５９号公報
【特許文献３】特開２００５−２２５０３２号公報
【発明の概要】
【発明が解決しようとする課題】
【０００８】
しかしながら、特許文献１に開示された射出成形金型は、成形品の多数個取りが可能であるが、溶融樹脂の流路（スプルー、ランナー）が長くなるために溶融樹脂の冷却速度が速くなる。そのため、ひけ等の不具合が発生しにくい、薄肉成形品での応用に限定され、複雑形状の成形品への適用は困難であった。
【０００９】
また、特許文献２に開示された射出成形金型は、成形品の多数個取りが可能であるが、スライドコアが複数セット必要であり、金型構造が全体として複雑になる。このため、金型の製造コストが大きい。また、成形キャビティが並列構造であり、スライドコア構造も複雑であるため、１個取りの射出成形金型と比較して金型自体も大きくなる。
【００１０】
また、特許文献３に開示された射出成形金型は、スライドコアにゲートが形成されているため、溶融樹脂の流路が複雑な構造になり、金型自体が大きくなる。
【００１１】
本発明はこのような問題に対処するためになされたものであり、成形品がアンダーカット部を有する場合であっても、成形品の多数個取りが可能であり、成形品に見合った大きさで簡易な構造の射出成形金型、および該金型を用いて製造された樹脂成形品、並びに該金型を用いた樹脂成形品の製造方法の提供を目的とする。
【課題を解決するための手段】
【００１２】
本発明の射出成形金型は、可動型と固定型とスライドコアとを有し、中空部を有する樹脂成形品を多数個取りするための射出成形金型であって、上記固定型と上記可動型とのＰＬが１ヶ所であり、該射出成形金型における成形キャビティが、上記可動型の可動方向に直列に上記スライドコアにより分けられて複数形成され、上記成形品の中空部を形成するコアピンを有し、それぞれの上記成形キャビティに樹脂を充填するためのサブマリンゲートが該コアピンに形成されていることを特徴とする。
【００１３】
上記スライドコアの可動方向内側に設けられた、上記コアピンと接触する凸部によって、上記成形キャビティが上記可動型の可動方向に直列に分けられて複数形成されていることを特徴とする。
【００１４】
上記スライドコアが、上記固定型と上記可動型とのＰＬをキャビティ正面から見たとき、上記成形キャビティを中心にして放射状に可動することを特徴とする。また、上記スライドコアが、１セットであることを特徴とする。
【００１５】
上記スライドコアの可動方向内側に、凸部および／または凹部が設けられていることを特徴とする。
【００１６】
本発明の樹脂成形品は、上記本発明の射出成形金型を用いて製造されることを特徴とする。また、上記成形品の表面に、穴、窪み、または突起があることを特徴とする。
【００１７】
本発明の樹脂成形品の製造方法は、上記本発明の射出成形金型を用いて中空部を有する樹脂成形品を複数個同時に製造する方法であって、上記固定型と上記可動型とを衝合した状態で上記スライドコアにより分けられた複数の上記成形キャビティに上記サブマリンゲートを介して樹脂を射出充填する工程と、該樹脂が固化後、上記可動型を開き、かつ、上記スライドコアを可動させて、上記コアピン部分が中空部である成形キャビティの形状の複数の樹脂成形品を取り出す工程とを備えてなることを特徴とする。
【００１８】
上記取り出す工程は、１つの樹脂成形品の端面を突き出しピンにより突き出すことで、複数の樹脂成形品のすべてを取り出す工程であることを特徴とする。また、上記取り出し後の樹脂成形品について、後加工しないことを特徴とする。
【発明の効果】
【００１９】
本発明の射出成形金型は、可動型と固定型とスライドコアとを有し、固定型と可動型とのＰＬが１ヶ所であり、該射出成形金型における成形キャビティが、可動型の可動方向に直列にスライドコアにより分けられて複数形成され、成形品の中空部を形成するコアピンを有し、それぞれの成形キャビティに樹脂を充填するためのサブマリンゲートが該コアピンに形成されているので、多数個取りの金型でありながら、成形キャビティを並列に形成することなく、射出成形金型の大きさ（縦横寸法）を１個取りの射出成形金型と同じにすることができ、成形品に見合った大きさにできる。また、ＰＬが１ヶ所であるので、金型の型開き構造が単純化できる。さらに、ゲートが中空部を形成するコアピンに形成されたサブマリンゲートであるので、溶融樹脂の流路を単純な構造にすることができ、ゲートをスライドコアに形成する場合と比較して、射出成形金型の単純化が可能であり、金型の大型化を避けられる。
【００２０】
上記スライドコアの可動方向内側に設けられた、上記コアピンと接触する凸部によって、上記成形キャビティが上記可動型の可動方向に直列に分けられて複数形成されているので、１セットのスライドコアを用いる簡易な構造で複数個の成形品を成形できる。
【００２１】
上記成形キャビティが上記可動型の可動方向に直列に分けられて複数形成されているので、上記スライドコアが、上記固定型と上記可動型とのＰＬをキャビティ正面から見たとき、成形キャビティを中心にして放射状に可動する構造とする場合でも、金型構造が複雑になることが無い。
【００２２】
上記スライドコアは、１セットのみ使用するので、金型構造が複雑にならず、複数の成形品が製造可能になる。また、金型の大型化を避けられる。
【００２３】
上記スライドコアの可動方向内側に、凸部および／または凹部が設けられているので、該凸部や凹部により、アンダーカット部となる穴、窪み、または突起を有する樹脂成形品の製造が可能となる
【００２４】
本発明の樹脂成形品の製造方法は、上記射出成形金型を用いて中空部を有する樹脂成形品を複数個同時に製造する方法であって、固定型と可動型とを衝合した状態でスライドコアにより分けられた複数の成形キャビティにサブマリンゲートを介して樹脂を射出充填する工程と、該樹脂が固化後、可動型を開き、かつ、スライドコアを可動させて、コアピン部分が中空部である成形キャビティの形状の複数の樹脂成形品を取り出す工程とを備えてなるので、１セットのスライドコアによって同時に複数の成形品が得られ、複雑な構造の射出成形金型を使用することなく、かつ、小さな射出成形金型によって製造でき、製造コストを低く抑えることができる。
【００２５】
また、取り出す工程は、１つの樹脂成形品の端面を突き出しピンにより突き出すことで、複数の樹脂成形品のすべてを取り出す工程であるので、成形品の取り出しが容易であり、突き出し構造を単純化できる。
【００２６】
また、射出成形でゲートカットおよび成形品の分割が行なわれるので、成形された樹脂成形品の後加工を不要にすることができる。
【００２７】
本発明の樹脂成形品は、上記射出成形金型を用いて製造されるので、複数個を同時に得られ、製造コストを低く抑えることができる。また、樹脂成形品の表面に穴、窪み、または突起を容易に形成できる。
【図面の簡単な説明】
【００２８】
【図１】本発明の射出成形金型の一例を示す図であり、成形後にスライドコアが放射状に開いて成形品（軸受保持器）が現れた状態を示す軸方向側面図である。
【図２】本発明の射出成形金型の一例を示す図であり、成形品を突き出しピンにより突き出した状態を示す斜視図である。
【図３】図１および図２におけるスライドコアの単体斜視図である。
【図４】図１におけるコアピン周辺の拡大斜視図である。
【図５】本発明の樹脂成形品の製造方法における各工程を示す断面図である。
【発明を実施するための形態】
【００２９】
本発明の射出成形金型の一実施例を図１および図２に基づいて説明する。図１は、成形後にスライドコアが放射状に開いて成形品が現れた状態を示す軸方向側面図であり、図２は、成形品を突き出しピンにより突き出した状態を示す斜視図である。図１および図２に示すように、本発明の射出成形金型１は、固定型２と可動型３と複数のスライドコア４とを有する。可動型３側にコアピン５を有し、該コアピン５の内部に成形キャビティに樹脂を充填するためのサブマリンゲート６が設けられている。コアピン５は、成形品の中空部を形成するものである。コアピン５は、可動型３の可動方向（図１中矢印）を軸方向とする円柱形状であり、成形キャビティの軸方向の中心に形成されている。可動型３と固定型２との衝合面となるＰＬ８は１ヶ所である。ＰＬが１ヶ所であるので、金型の型開き構造が単純化できる。また、複数の突き出しピン７が、可動型３側でコアピン５の周囲に設けられている。なお、図１における樹脂成形品９は、ラジアル軸受であるニードルベアリングの保持器である。
【００３０】
射出成形金型１において、成形キャビティは、可動型３の可動方向に直列に複数（２個）形成される。この複数の成形キャビティは、固定型２と可動型３とが衝合された状態で、スライドコア４により可動型３の可動方向に直列に分けられることで形成されている。また、複数の成形キャビティは、すべて可動型３側に形成されている。この複数の成形キャビティにより、樹脂成形品を同時に複数個成形でき、成形品の多数個取りができる。成形キャビティを可動型３の可動方向に直列に形成することで、射出成形金型の大きさ（キャビティ正面から見た縦横寸法）を１個取りの射出成形金型と同じにできる。
【００３１】
スライドコア４は、固定型２と可動型３とのＰＬ８をキャビティ正面（コアピン軸方向）から見たとき、該成形キャビティを中心にして放射状に可動するものである。ここで、スライドコア４が放射状に可動するとは、固定型２と可動型３とのＰＬ８をキャビティ正面から見たとき、複数個で構成されるスライドコア４のそれぞれが、成形キャビティを中心にして任意の円周角方向に可動し、スライドコア４全体として全周（３６０°）方向に放射状（同心円状）に広がるように可動することをいう。また、図１および図２では、説明のために簡略してスライドコア４は２個のみ表示しているが、実際の態様では、スライドコア４は、可動型３のすべての凹部３ａに配置され、型締め時においてはコアピン５に衝合してその全周を隙間なく覆う形状となる。なお、隣り合うスライドコア４の合わせ目が、スライドコアパーティングライン（ＳＰＬ）となる。
【００３２】
図３にスライドコア４の単体斜視図を示す。スライドコア４は、可動方向内側の端面に設けられた、コアピンと接触する凸部４ａを有する。ここで、可動方向内側とは、それぞれのスライドコア４において、該スライドコア４が可動する円周角方向の反対側をいう。凸部４ａは、それぞれのスライドコア４の可動方向内側の端面４ｂにおいて、該スライドコアの周方向の全幅Ｗにわたり形成されている。なお、凸部４ａの軸方向長さＬは任意の長さに設定され、この長さＬが成形キャビティ間の距離となる。スライドコア４は、複数個（１セット）で周方向を隙間なく覆う形状であるので、それぞれのスライドコア４の可動方向内側の端面において、凸部４ａを該スライドコア４の周方向の全幅Ｗにわたり形成することで、型締め時において、スライドコア４の該凸部４ａが周方向に連結された形で、コアピン５の軸方向の一部の全周を接触して覆う形状となる。この周方向に連結された形の凸部４ａにより、成形キャビティが、可動型３の可動方向（コアピン軸方向）に直列に２つに分けて形成される。
【００３３】
スライドコア４は、型締め時においてコアピンに衝合してその全周を隙間なく覆う形状であれば、他の部位の形状や個数は任意にすることができる。スライドコア４は、同時に可動、または、連動して可動する複数個で構成される１セットからなる。スライドコア４は、この実施態様で示すように、すべてのスライドコア４を同一形状とする他、各スライドコアを相互に異なる形状としてもよい。本発明の射出成形金型１は、凸部４ａを設けること等により、成形キャビティを複数としながら１セットのスライドコア４で樹脂成形品を同時に複数個成形でき、成形キャビティの数のスライドコアセットは不要となる。スライドコア４を１セットとすることで、金型構造が複雑にならない。
【００３４】
スライドコア４は、可動方向内側の端面に上記凸部４ａの他に、成形品の表面に穴、窪み、または突起を形成するための凸部および／または凹部を設けることができる。図３に示すように、この実施態様では、成形品表面に長穴を複数形成するために、各スライドコア４の可動方向内側の端面４ｂにおいて、凸部４ｃが形成されている。この凸部４ｃ１つで、成形品表面に１つ長穴が形成されるので、１つの成形品全体にはスライドコア４の個数分の長穴が形成される。樹脂成形品において、突き出し方向に対して垂直方向等に形成される成形品表面の穴、窪み、突起は、アンダーカット部となるが、本発明の射出成形金型では、この部分を上記のスライドコア４で容易に形成できる。このため、本発明の射出成形金型は、表面に穴、窪み、または突起がある樹脂成形品の製造にも好適に利用できる。
【００３５】
図４にコアピン周辺の拡大斜視図を示す。図４では、スライドコアの一部を省略している。図４に示すように、コアピン５は、その内部に成形キャビティに樹脂を充填するためのサブマリンゲート６が形成されている。サブマリンゲート６は、少なくとも成形キャビティの数だけ形成する。この実施態様では、成形キャビティが２つであるので、２つのサブマリンゲート６がコアピン５に形成されている。なお、必要に応じて、１つの成形キャビティに対して複数のゲートを設けてもよい。本発明の射出成形金型では、コアピン５に沿って軸方向に直列に成形キャビティが形成されるので、コアピン５の内部にサブマリンゲート６の形成が可能となる。樹脂成形品の中空部を形成するコアピン５の内部に、サブマリンゲート６を形成することで、溶融樹脂の流路を単純な構造にでき、ゲートをスライドコアに形成する場合と比較して、射出成形金型が単純化でき、金型の大型化を避けられる。
【００３６】
各サブマリンゲート６の形状は、特に限定されないが、該ゲートが繋がるそれぞれの成形キャビティにおいて、各成形キャビティで樹脂が同時に充填されるよう充填バランスに優れた形状とすることが好ましい。例えば、溶融樹脂の流路長差（ゲート長さの差）を可能な限り小さくするために、ＰＬから見て遠い成形キャビティに設けるゲートは該成形キャビティのＰＬに近い位置に形成し、ＰＬから見て近い成形キャビティに設けるゲートは該成形キャビティのＰＬに遠い位置に形成できる。また、ゲート長さが異なる場合は、その断面積を調整することで充填バランスの改善を図ることができる。サブマリンゲートを成形キャビティ間での樹脂の充填バランスに優れた形状とすることで、各成形キャビティで同時に成形される樹脂成形品間の品質のばらつきをなくすことができる。
【００３７】
本発明の射出成形金型を用いて、樹脂組成物を材料として樹脂成形品を成形できる。材料として用いる樹脂組成物の種類は、樹脂成形品の要求特性に応じて任意に決定できる。この樹脂組成物のベース樹脂となる合成樹脂としては、例えば、ポリアミド６（ＰＡ６）樹脂、ポリアミド６−６（ＰＡ６６）樹脂、ポリアミド６−１０（ＰＡ６１０）樹脂、ポリアミド６−１２（ＰＡ６１２）樹脂、ポリアミド４−６（ＰＡ４６）樹脂、ポリアミド９−Ｔ（ＰＡ９Ｔ）樹脂、ポリアミド６−Ｔ（ＰＡ６Ｔ）樹脂、ポリメタキシレンアジパミド（ポリアミドＭＸＤ−６）樹脂などのポリアミド（ＰＡ）樹脂、ポリテトラフルオロエチレン・パーフルオロアルキルビニルエーテル共重合体（ＰＦＡ）樹脂、テトラフルオロエチレン・ヘキサフルオロプロピレン共重合体（ＦＥＰ）樹脂、エチレン−テトラフルオロエチレン共重合体（ＥＴＦＥ）樹脂などの射出成形可能なフッ素樹脂、ポリカーボネート（ＰＣ）樹脂、ポリアセタール（ＰＯＭ）樹脂、全芳香族ポリエステル樹脂、ポリフェニレンスルフィド（ＰＰＳ）樹脂、ポリエーテルエーテルケトン（ＰＥＥＫ）樹脂、ポリアミドイミド（ＰＡＩ）樹脂、ポリエーテルイミド（ＰＥＩ）樹脂、射出成形可能なポリイミド（ＰＩ）樹脂などが挙げられる。なお、各ポリアミド樹脂において、数字はアミド結合間の炭素数を表し、Ｔはテレフタル酸残基を表す。これらの各合成樹脂は単独で使用してもよく、２種類以上混合したポリマーアロイであってもよい。
【００３８】
これらの合成樹脂の中でも、射出成形性に優れ、上記した形状のサブマリンゲートであっても容易に成形可能であることから、ポリアミド（ＰＡ）樹脂を用いることが好ましい。また、樹脂成形品の機械的強度を向上させるため、これらの樹脂組成物に、射出成形性を阻害しない範囲で、ガラス繊維、アラミド繊維、炭素繊維、各種鉱物性繊維（ウィスカー）などを配合してもよい。さらに、樹脂成形品の摺動性を向上させるため、ポリテトラフルオロエチレン樹脂粉末、黒鉛、二硫化モリブデンなどの固体潤滑剤などを配合してもよい。その他、必要に応じて、公知の他の添加剤を配合してもよい。
【００３９】
各図に基づき、成形キャビティを２個とする場合を説明したが、樹脂成形品の形状、樹脂の種類等によっては、より多数に分割することもできる。より多数に分割する場合は、スライドコア４において、可動方向内側の端面に設ける凸部４ａの数を増やし、サブマリンゲート６を各成形キャビティに設けることで可能となる。
【００４０】
本発明の樹脂成形品の製造方法を図５に基づいて説明する。図５は、本発明の製造方法における工程を示す断面図である。なお、図５における樹脂成形品９は、ラジアル軸受であるニードルベアリングの保持器である。本発明の製造方法は、上記の射出成形金型を用い、中空部を有する樹脂成形品を複数個同時に製造するための製造方法である。
【００４１】
まず、固定型２と可動型３とを衝合した状態でスライドコア４により分けられた複数の成形キャビティにサブマリンゲート６を介して樹脂を射出充填する工程を有する（図５（ａ）（ｂ））。なお、サブマリンゲート６までは、固定型２に図示しない溶融樹脂材料の通路を形成する。
【００４２】
次に、保圧工程、冷却工程を経て、成形キャビティ内の樹脂が固化後、可動型３を固定型２との衝合状態から固定型２と反対側に可動させて開き、かつ、スライドコア４を可動させて、成形キャビティに成形された複数の樹脂成形品９を取り出す工程を有する（図５（ｃ）（ｄ））。また、この工程において、スライドコア４は、固定型２と可動型３とのＰＬをキャビティ正面から見たとき、スライドコア４全体として放射状に広がるように可動して開く（図１、図２等参照）。なお、型、スライドコア、突き出しピンの移動は図示されていない油圧シリンダ等の駆動手段により行なう。
【００４３】
樹脂成形品９の取り出しは、可動型３側でコアピン５の周囲に設けられた突き出しピン７で成形キャビティから突き出すことにより行なう（図５（ｄ））。１つの樹脂成形品の端面を突き出しピン７により突き出すことで、この樹脂成形品が他の樹脂成形品を押し出し、複数の樹脂成形品９のすべてを取り出すことができる。このため、突き出しピン７と当接する樹脂成形品以外は、突き出しピン痕が成形品に残らない。また、図示していないが、サブマリンゲート６内の樹脂は突き出しピン７と連動して動作する、コアピン５内部に設けられた突き出しピンによって取り出される。
【００４４】
複数の樹脂成形品９は、スライドコア４により分割された成形キャビティで独立に成形されるので、スライドコア４を可動させて型開きすれば、相互に分割された状態で得られる（図５（ｃ））。また、樹脂成形品９の突き出し時において、樹脂成形品９とサブマリンゲート６とがその連結面（コアピン５の表面位置）で切断される。このように、本発明の射出成形金型を用いた製造方法では、射出成形でゲートカットおよび樹脂成形品の分割が行なわれるので、成形品の分割やゲート処理等の樹脂成形品の後加工を不要にすることができる。
【００４５】
本発明の樹脂成形品は、上記射出成形金型を用いて製造されるものであり、中空部を有する成形品である。この樹脂成形品は、上記射出成形金型を用いて製造されるので、複数個を同時に得られ、製造コストを低く抑えることができる。また、表面に穴、窪み、または突起がある複雑構造の樹脂成形品も本発明の好適な対象成形品となる。本発明の樹脂成形品としては、ラジアル軸受（ころ軸受や玉軸受）の保持器、ラジアル軸受本体（滑り軸受）、シールリングなどが挙げられる。これらの中でも、表面にアンダーカット部となる穴を有するラジアル軸受（ころ軸受や玉軸受）の保持器が、本発明において好適な成形品である。
【産業上の利用可能性】
【００４６】
本発明の射出成形金型は、成形品がアンダーカット部を有する場合であっても、成形品の多数個取りが可能であり、成形品に見合った大きさで簡易な構造であるので、中空部を有する樹脂成形品の製造に好適に利用できる。特に、従来多数個取りが困難であった、表面に穴、窪み、または突起などの凹凸がある複雑構造の樹脂成形品の製造に好適に利用できる。
【符号の説明】
【００４７】
１    射出成形金型
２    固定型
３    可動型
３ａ  凹部
４    スライドコア
４ａ  凸部
４ｂ  端面
４ｃ  凸部
５    コアピン
６    サブマリンゲート
７    突き出しピン
８    パーティングライン（ＰＬ）
９    樹脂成形品
【図１】
2012210810.tif 000003
【図２】
2012210810.tif 000004
【図３】
2012210810.tif 000005
【図４】
2012210810.tif 000006
【図５】
2012210810.tif 000007